(57)【特許請求の範囲】
【請求項１】
箱型であり且つ正面に投函口を有する本体部と、
前記本体部の正面に装着される口枠部とを具備し、
前記口枠部は、
前記投函口に連通する開口と、
前記開口とは異なる箇所に位置する照明スペースと、
前記照明スペースに収容される照明ユニットと、
前記開口及び前記照明スペースとは異なる箇所に位置する設置面と、
前記設置面に装着される撮像ユニットと、
前記照明スペースと前記設置面との間に位置する遮光用の庇部と、を備え、
前記照明スペースと前記開口と前記庇部と前記設置面は、この順に上から下に並んで位置することを特徴とする郵便受け。
【請求項２】
前記撮像ユニットは、
カメラ付きのインターホン子機であることを特徴とする請求項１に記載の郵便受け。
【請求項３】
前記照明ユニットは、下方に向けて光を出射する足元灯であることを特徴とする請求項１又は２に記載の郵便受け。
【請求項４】
前記照明ユニットは、
発光ダイオードである光源と、前記光源が発する光を入射させる導光体とを備え、
前記導光体は、下方に向けて光を出射させる出射面を有することを特徴とする請求項１〜３のいずれか一項に記載の郵便受け。
【発明の詳細な説明】
【技術分野】
【０００１】
本発明は、郵便受けに関し、詳しくは、箱型の本体部に口枠部を装着した郵便受けに関する。
【背景技術】
【０００２】
特許文献１には、門柱に埋設して取り付ける郵便受箱が記載されている。この郵便受箱は、角箱状の郵便受箱本体と、郵便受箱本体の正面に装着される口金とを備える。口金には、投入口を設けている。
【先行技術文献】
【特許文献】
【０００３】
【特許文献１】実公平４−５１６４２号公報
【発明の概要】
【発明が解決しようとする課題】
【０００４】
前記した従来の郵便受箱では、門柱から正面に露出する口金に、投入口だけが位置している。そのため、夜間等に周囲を照らす機能を有するには、門柱等に照明装置を別途備える必要がある。また、正面を撮影する機能を有するには、門柱等に撮像ユニットを別途備える必要がある。つまり、これらの機能を更に有するためには、設備全体が大型化するという問題や、外観上の統一感が低下するという問題が生じる。
【０００５】
本発明は前記問題を解決する発明であり、コンパクトで統一感の高い構造でありながら照明機能と撮像機能を併せ持つ郵便受けを提供することを、課題とする。
【課題を解決するための手段】
【０００６】
前記課題を解決するために、本発明の一態様に係る郵便受けは、箱型であり且つ正面に投函口を有する本体部と、前記本体部の正面に装着される口枠部とを具備する。
【０００７】
前記口枠部は、開口と、照明スペースと、照明ユニットと、設置面と、撮像ユニットと、遮光用の庇部とを備える。前記開口は、前記投函口に連通する。前記照明スペースは、前記開口とは異なる箇所に位置する。前記照明ユニットは、前記照明スペースに収容される。前記設置面は、前記開口及び前記照明スペースとは異なる箇所に位置する。前記撮像ユニットは、前記設置面に装着される。前記庇部は、前記照明スペースと前記設置面との間に位置する。前記照明スペースと前記開口と前記庇部と前記設置面は、この順に上から下に並んで位置する。
【発明の効果】
【０００８】
本発明は、コンパクトで統一感の高い構造でありながら、照明機能と撮像機能を併せ持つ郵便受けを提供することができるという効果を奏する。
【図面の簡単な説明】
【０００９】
【図１】一実施形態の郵便受けを門柱に設置した状態の正面図である。
【図２】一実施形態の郵便受けの斜視図である。
【図３】一実施形態の郵便受けの要部の鉛直断面図である。
【図４】一実施形態の郵便受けが備える口枠部の斜視図である。
【図５】一実施形態の郵便受けが備える照明ユニットの分解斜視図である。
【図６】一実施形態の郵便受けをポール上に設置した状態の正面図である。
【発明を実施するための形態】
【００１０】
一実施形態の郵便受けは、図１に示すように、建物の外構９を形成する門柱９０に埋め込むことで、外構９に設置する。
【００１１】
図２に示すように、本実施形態の郵便受けは、箱型の形状を有する本体部１と、本体部１の正面１ａに固定される口枠部２とを備える。
【００１２】
本文中では、本体部１の正面１ａが向く方向を前方とし、これの逆方向を後方とする。口枠部２は、本体部１から前方に突出する。左右方向は、前後方向及び上下方向と直交する方向である。
【００１３】
箱型の本体部１は、前端に位置する前板１０、上端に位置する天板１１、左右方向の両端に位置する一対の側板１２，１２、下端に位置する底板１３、及び後端に位置する背板１４を有する。本体部１の正面１ａは、前板１０の正面である。
【００１４】
前板１０には、前後方向に貫通する投函口１００を設けている。投函口１００は、左右方向に細長い形状を有する。前板１０には、投函口１００を開閉自在に塞ぐフラップ１０１を設けている（図３参照）。背板１４には、図示略の開閉扉を設けている。
【００１５】
口枠部２は、本体部１が有する前板１０の上部に、ネジ等を用いて固定される。
【００１６】
口枠部２は、図２〜図４に示すように、上端に位置する上枠２０、左右方向の両端に位置する一対の側枠２１，２１及び下端に位置する下枠２２を有する。これら各枠２０，２１，２１，２２が一連につながることで、口枠部２は、前後方向に開口する角筒形状の外形を有する。
【００１７】
本体部１に口枠部２を固定した状態において、口枠部２の上枠２０の上面は、本体部１の天板１１の上面と面一である。口枠部２の各側枠２１の外側面は、本体部１の側板１２の外側面と面一である。
【００１８】
本体部１に固定された口枠部２は、正面視において、投函口１００の全体を囲んで位置する開口２３を有する。開口２３は、左右方向に長い矩形状の開口であり、投函口１００と前後方向に連通する。
【００１９】
更に、口枠部２には、照明ユニット３を設置するための照明スペースＳ１を、開口２３よりも上方に形成している。照明スペースＳ１に設置する照明ユニット３は、下方に向けて光を出射する足元灯である。
【００２０】
図３等に示すように、照明スペースＳ１は、口枠部２が有する長板状の上枠２０と、上枠２０の下面の一部から下方に突出した前板２４とで仕切られた空間である。照明スペースＳ１は、後方に向けて開口し、且つ、下方に開口する。
【００２１】
図５は、照明ユニット３を後斜め下方から視た分解斜視図である。照明ユニット３は、発光ダイオードである一対の光源３０，３０と、光源３０，３０が発する光を入射させた後に外部に向けて出射する棒状の導光体３１と、導光体３１を覆うケース３２とを備える。ケース３２は、アルミニウム等の熱伝導率の高い材料で形成する。
【００２２】
導光体３１は、左右方向に長い透光性の棒状部材であり、例えばアクリルによって形成する。導光体３１の左右方向の両端面が入射面３１０，３１０である。両端の入射面３１０，３１０には、光源３０，３０からの光が一対一で入射する。
【００２３】
導光体３１の上方を向く面が拡散面３１１であり、導光体３１の下方を向く面が出射面３１２である（図３参照）。ケース３２には、下面の一部を切り欠いた形状の照明窓３２０を設けている。照明窓３２０は、左右方向に細長い開口であり、導光体３１が有する出射面３１２の下方に位置する。導光体３１と照明窓３２０との間には、透光板３３を介在させている。
【００２４】
照明ユニット３は、光源３０，３０を実装する基板３４，３４と、基板３４，３４に当接する伝熱シート３５，３５と、これらを水密に保持する保持構造３６，３６とを有する。
【００２５】
各保持構造３６は、内側カバー３６０と、内側カバー３６０よりも左右方向の外側（以下、単に「外側」という。）に位置する外側カバー３６１を備える。内側カバー３６０と外側カバー３６１を組み合わせることで、内部空間を有するカバー構造を形成し、該内部空間に、光源３０が実装された基板３４と伝熱シート３５を収容する。
【００２６】
各保持構造３６は、フィンを有する放熱部材３６２と、ストッパー３６４を更に備える。
【００２７】
放熱部材３６２は、外側カバー３６１の外側に当接して位置する。放熱部材３６２と外側カバー３６１は、ネジを用いて固定するが、両面テープ等の他の手段で固定してもよい。ストッパー３６４は、放熱部材３６２の後方において口枠部２に固定され、照明ユニット３を抜け止めする。ストッパー３６４は、配線カバーを兼ねる。
【００２８】
ケース３２内には、導光体３１の外側に、内側カバー３６０と外側カバー３６１を組み合わせた前記カバー構造を収容する。前記カバー構造を収容したケース３２の両端部は、前板２４の左右方向の両端部から後方に延設した載置片２５，２５（図３参照）上に、それぞれ配置する。この状態で、ケース３２は照明スペースＳ１に位置する。載置片２５上には、更に放熱部材３６２を配置する。
【００２９】
本実施形態の照明ユニット３においては、前記したように、光源３０を実装した基板３４を、内側カバー３６０と外側カバー３６１を組み合わせたカバー構造の内部空間に収容することで、第１段階の防水を図っている。更に、このカバー構造ごとケース３２に収容することで、第２段階の防水を図っている。更に、ケース３２を、前方及び上方を外部空間から仕切った照明スペースＳ１に配置することで、第３段階の防水を図っている。
【００３０】
更に、ケース３２の外側を放熱部材３６２で塞ぎ、ケース３２の端部の後方をストッパー３６４で塞ぐことによって、第４段階の防水を図っている。
【００３１】
本実施形態の照明ユニット３においては、前記した第１乃至第４段階の防水によって、高水準での防水性能を確保することが可能となっている。
【００３２】
本実施形態の郵便受けにおいては、口枠部２に、氏名等を表示することのできる表札板５と、インターホン子機７を設置する設置枠６を、更に設けている。
【００３３】
表札板５には、その前面に氏名等を直接的に表示してもよいし、氏名等が記載されたプレートを表札板５の前面に固定することも可能である。
【００３４】
表札板５と設置枠６は、口枠部２のうち開口２３よりも下側の領域において、左右方向に互いに隣接して位置する。
【００３５】
口枠部２を本体部１に装着した状態において、投函口１００よりも上方に照明ユニット３の出射面３１２と照明窓３２０が位置する（図３参照）。また、投函口１００よりも下方に、表札板５と設置枠６が位置する。出射面３１２と照明窓３２０は、表札板５の前斜め上方に位置する。
【００３６】
表札板５は、左右方向に長い平面視矩形状の形状を有する。表札板５は、口枠部２の側枠２１や下枠２２と一体に形成される。
【００３７】
設置枠６は、第１部分６ａと第２部分６ｂを組み合わせることで、前面の開口した角筒状に形成される。
【００３８】
第１部分６ａは、口枠部２が有する側枠２１、下枠２２及び表札板５と一体に形成される部分である。第１部分６ａは、左右方向に距離をあけて位置する一対の側壁６０，６０と、側壁６０，６０の下端同士をつなぐ下壁６１とを有する。
【００３９】
第１部分６ａが有する一対の側壁６０，６０のうち、左右方向の内側に位置する側壁６０は、表札板５の左右方向の一端から前方に突出する。内側の側壁６０は、表札板５及び下枠２２と一体に設けている。内側の側壁６０は、下枠２２に対して正面視逆Ｔ字状に交差する。
【００４０】
一対の側壁６０，６０のうち、左右方向の外側に位置する側壁６０は、側枠２１の下部によって構成される。同様に、第１部分６ａが有する下壁６１は、下枠２２の左右方向の一端部によって構成される。
【００４１】
第２部分６ｂは、口枠部２が有する側枠２１、下枠２２及び表札板５とは別体に形成される部分である。第２部分６ｂは、インターホン子機７を固定可能な設置面６２０を正面に有する設置板６２と、設置板６２の上端から前方に突出する平板状の庇部６３とを有する。
【００４２】
第１部分６ａと第２部分６ｂを組み合わせることで、図４に示すような角筒形状の設置枠６が形成され、角筒形状の内底面である設置面６２０にインターホン子機７を固定したときに、立方体形状の外形を有するインターホン子機７は、設置枠６内にぴたりと収まる。
【００４３】
インターホン子機７はカメラ付きであり、正面に備えた広角レンズ７０によって正面を撮影する機能を有する。本実施形態では、カメラ付きのインターホン子機７が、広角レンズ７０を正面に備えた撮像ユニット４である。
【００４４】
庇部６３は、インターホン子機７全体の上方を覆うように前方に突出している。庇部６３は、上方に位置する照明ユニット３の出射面３１２及び照明窓３２０と、インターホン子機７が備える広角レンズ７０との間に位置し、照明ユニット３から出射される光が広角レンズ７０に影響を及ぼすことを抑制する。
【００４５】
本実施形態において、インターホン子機７を口枠部２に設置するには、インターホン子機７をまず第２部分６ｂに固定し、インターホン子機７ごと第２部分６ｂを第１部分６ａに組み合わせて固定し、角筒形状の設置枠６を形成することが好ましい。
【００４６】
この手順によれば、インターホン子機７を設置枠６に装着する際に、インターホン子機７が設置枠６に当たって邪魔になることが抑制される。つまり、インターホン子機７の上部を第２部分６ｂに引っ掛け、該引っ掛け部分を中心にインターホン子機７を回転させて設置面６２０に固定する際に、インターホン子機７が第１部分６ａ（特に下壁６１）に当たって邪魔になることがない。
【００４７】
図１〜図５に示す本実施形態の郵便受けは、前記した各構成を具備するものであるから、口枠部２内の上部領域にコンパクトに装着した照明ユニット３を用い、出射面３１２及び照明窓３２０から照射されるライン状の光で、足元を明るく照らすことができる。
【００４８】
即ち、照明ユニット３の光源３０，３０が発光すると、その光は導光体３１の入射面３１０，３１０から入射し、導光体３１内を進行しながら拡散面３１１で乱反射し、出射面３１２を通じて下方に出射する。出射面３１２から出射した光は、透光板３３及び照明窓３２０を通じて、口枠部２の下方空間を照らす。
【００４９】
なお、本実施形態では導光体３１の左右方向の両端に光源３０，３０を配しているが、導光体３１の左右方向の一端にだけ光源３０を配することも可能である。光源３０を一端にだけ配する構造であっても、導光体３１を通じて、出射面３１２全体から下方に向けて光を照射することができる。
【００５０】
加えて、照明ユニット３が有する出射面３１２及び照明窓３２０の下方には、表札板５が位置し、表札板５は光の照射範囲に含まれている。そのため、足元を照らす光の一部を利用して、表札板５を照らすことが可能である。
【００５１】
表札板５の側方には、インターホン子機７を設置する設置面６２０が位置するが、設置面６２０の上方には、光を遮る庇部６３を、設置面６２０よりも前方に大きく突出させているので、広角レンズ７０で撮影される映像に白飛びが生じることは抑制される。
【００５２】
図６には、本実施形態の郵便受けの他の設置形態を示している。
【００５３】
この設置形態では、本体部１をポール８上に設置している。ポール８は上下方向に長く、ポール８の下端は地面に埋め込んでいる。
【００５４】
このように本実施形態の郵便受けを設置した場合においても、口枠部２内にコンパクトに装着した照明ユニット３で足元空間を照らすことができ、且つ、インターホン子機７の広角レンズ７０で撮影した映像に白飛びが生じることは抑えられる。
【００５５】
以上、説明したように、本実施形態の郵便受けは、箱型であり且つ正面１ａに投函口１００を有する本体部１と、本体部１の正面１ａに装着される口枠部２とを具備する。
【００５６】
口枠部２は、投函口１００に連通する開口２３と、開口２３とは異なる箇所に位置する照明スペースＳ１と、照明スペースＳ１に収容される照明ユニット３とを備える。更に、口枠部２は、開口２３及び照明スペースＳ１とは異なる箇所に位置する設置面６２０と、設置面６２０に装着される撮像ユニット４と、照明スペースＳ１と設置面６２０との間に位置する遮光用の庇部６３とを備える。
【００５７】
したがって、各本実施形態の郵便受けによれば、口枠部２内に照明ユニット３と撮像ユニット４を収めたコンパクトな構造で、郵便受けが設置される領域を明るく照らすことと、正面の来客者等を撮影することが、共に実現される。
【００５８】
しかも、照明スペースＳ１と設置面６２０の間に遮光用の庇部６３を位置させているので、照明ユニット３と撮像ユニット４が共に口枠部２内に位置するコンパクトな構造でありながら、撮像ユニット４で撮影する映像に白飛びが発生することは抑えることができる。
【００５９】
換言すれば、口枠部２内に庇部６３を設け、庇部６３を挟んだ一方に照明ユニット３を配し、庇部６３を挟んだ他方に撮像ユニット４を配することによって、口枠部２内の限られた領域に照明ユニット３と撮像ユニット４をコンパクトに収納可能としている。そのため、外構９の設備全体をコンパクトにまとめることができ、外観上の統一性も向上する。
【００６０】
また、本実施形態の郵便受けにおいて、撮像ユニット４は、カメラ付きのインターホン子機７である。
【００６１】
したがって、本実施形態の郵便受けによれば、口枠部２内に照明ユニット３とカメラ付きのインターホン子機７を収めたコンパクトな構造で、周囲を明るく照らすことができ、且つ、白飛びを抑えた映像を確認しながら来客者と会話をすることができる。
【００６２】
また、本実施形態の郵便受けにおいて、照明スペースＳ１は、設置面６２０の上方に位置する。照明スペースＳ１に収容される照明ユニット３は、下方に向けて光を出射する足元灯である。
【００６３】
したがって、本実施形態の郵便受けによれば、口枠部２内の照明ユニット３から下方に出射する光によって、郵便受けが設置される場所の足元空間を、明るく照らすことができる。また、照明ユニット３は下方に光を照射するので、向かいの住人等が眩しさを感じることが抑えられる。
【００６４】
また、本実施形態の郵便受けにおいて、照明ユニット３は、発光ダイオードである光源３０，３０と、光源３０，３が発する光を入射させる導光体３１とを備える。導光体３１は、下方に向けて光を出射させる出射面３１１を有する。
【００６５】
したがって、本実施形態の郵便受けによれば、発光ダイオードである光源３０を多数配置せずとも、導光体３１を通じて広い範囲を効率的に且つ均一的に照らすことができる。
【００６６】
以上、本発明の実施形態について説明したが、本発明は前記した本実施形態に限定されない。本発明の意図する範囲内であれば、本実施形態において適宜の設計変更を行うことが可能である。
【符号の説明】
【００６７】
１      本体部
１ａ    正面
２      口枠部
３      照明ユニット
４      撮像ユニット
７      インターホン子機
２３    開口
３０    光源
３１    導光体
６３    庇部
１００  投函口
３１１  出射面
６２０  設置面
Ｓ１    照明スペース
【図１】
0006403053.tif 000002
【図２】
0006403053.tif 000003
【図３】
0006403053.tif 000004
【図４】
0006403053.tif 000005
【図５】
0006403053.tif 000006
【図６】
0006403053.tif 000007